(57)【特許請求の範囲】
【請求項１】
カップ本体開口部に、カップ本体の開口部とほぼ同じ外形を有し、剥離用つまみと開封用つまみを有し、カップ本体の開口部を密封シールする即席食品容器用蓋材において、
該蓋材は基材シートとこれを被覆する表面シートが接着層を介して積層されて構成されており、かつ、表面シートは、基材シート側から紙層、ＰＥＴフィルムの順に積層して構成されており、
前記基材シートと表面シートとの層間は、蓋材の中央部分を通り帯状に易剥離剤の塗布された易剥離領域と、易剥離領域に隣接して配置される接着領域とに区画され、
易剥離領域には、内面側となる基材シートから基材シートに隣接する表面シートの略半分の深さにまで達するハーフカット線であって、水注入用兼湯切用の孔を形成するハーフカット線が略円形状に設けられ、
さらに前記剥離用つまみが易剥離領域の先端に設けられると共に、前記開封用つまみが易剥離領域から離れた接着領域の先端に設けられており、
易剥離領域には、剥離用つまみの両端近傍から容器の中央部を経て対向する端縁まで略平行な２本のミシン目線が表面シートの前記紙層にのみ形成されている、
ことを特徴とする湯切機能付き即席食品容器用蓋材。
【請求項２】
前記蓋材の剥離用つまみと開封用つまみとが互いに略９０°の角度を隔てて設置されていることを特徴とする請求項１記載の湯切機能付き即席食品容器用蓋材。
【発明の詳細な説明】
【０００１】
【発明の属する技術分野】
本発明は、焼きそば、スパゲッティなど即席食品の密封包装に使用する容器の蓋材に関し、特に乾燥状態の即席食品を柔らかくほぐすために注入する熱湯を排出するための湯切孔を備え、かつ、電子レンジ調理機能を有する即席食品容器用の蓋材に関する。
【０００２】
【従来の技術】
従来、電子レンジ調理機能を有する湯切孔付きの即席食品容器は、例えば、即席食品が収容された紙カップ容器の開口部をアルミニウム箔入りの紙を主体とする蓋材で密封して紙カップ容器本体とし、さらに、この紙カップ容器本体に排湯口を有するプラスチック製の成形キャップを被せた容器であった。
【０００３】
この容器は、使用時には、先ずプラスチック製の成形キャップを取り除き、ついで、紙を主体とする蓋材も剥がして紙カップ容器本体を開封し、湯水を注いだ後、プラスチック製の成形キャップを被せて電子レンジ加熱を行い、その後、湯水を成形キャップの排湯口から排出して、最後に成形キャップを紙カップ容器から取り除き、内容物を喫食するというものである。
【０００４】
喫食に際して注湯を行い、所定時間経過後に排湯作業を行う紙カップ容器としてならば、プラスチック製の成形キャップを必要としないのであるが、電子レンジ加熱を必要とするために、アルミニウム箔入りの紙を主体とする蓋材が電子レンジ加熱時に使用できず、また、プラスチック製の成形キャップのみでは、ガスバリア性が不足するため内容物保護性に欠け、上述のような複雑な材料構成と複雑な作業が必要となっていた。
【０００５】
【発明が解決しようとする課題】
本発明は、湯水切りあるいは湯水注入作業を必要とし、かつ、電子レンジ調理機能を有する即席食品用紙カップ容器に関する以上のような問題点に着目してなされたもので、プラスチック製の成形キャップを必要とせず、比較的簡単な前準備で喫食が可能となる即席食品容器用の蓋材を提供することを目的とする。
【０００６】
本発明の第１の発明は、カップ本体開口部に、カップ本体の開口部とほぼ同じ外形を有し、剥離用つまみと開封用つまみを有し、カップ本体の開口部を密封シールする即席食品容器用蓋材において、
該蓋材は基材シートとこれを被覆する表面シートが接着層を介して積層されて構成されており、かつ、表面シートは、基材シート側から紙層、ＰＥＴフィルムの順に積層して構成されており、
前記基材シートと表面シートとの層間は、蓋材の中央部分を通り帯状に易剥離剤の塗布された易剥離領域と、易剥離領域に隣接して配置される接着領域とに区画され、
易剥離領域には、内面側となる基材シートから基材シートに隣接する表面シートの略半分の深さにまで達するハーフカット線であって、水注入用兼湯切用の孔を形成するハーフカット線が略円形状に設けられ、
さらに前記剥離用つまみが易剥離領域の先端に設けられると共に、前記開封用つまみが易剥離領域から離れた接着領域の先端に設けられており、
易剥離領域には、剥離用つまみの両端近傍から容器の中央部を経て対向する端縁まで略平行な２本のミシン目線が表面シートの前記紙層にのみ形成されている、
ことを特徴とする湯切機能付き即席食品容器用蓋材である。
【０００７】
また、第２の発明は、前記蓋材の剥離用つまみと開封用つまみとが互いに略９０°の角度を隔てて設置されていることを特徴とする請求項１記載の湯切機能付き即席食品容器用蓋材である。
【０００９】
上記のように本発明によれば、蓋材が、基材シートとこれを被覆する表面シートが接着層を介して積層され、前記基材シートと表面シートとの層間は、蓋材の中央部分を通り帯状に易剥離剤の塗布された易剥離領域と、易剥離領域に隣接して配置される接着領域とに区画され、易剥離領域には、内面側となる基材シートから基材シートに隣接する表面シートの略半分の深さにまで達する湯切孔形成用のハーフカット線が略円形状に設けられ、さらに前記剥離用つまみが易剥離領域の先端に設けられているので、剥離用つまみを持ち蓋材を容器から引き剥がすと、剥離用つまみの両端から表面シートが引き裂かれると共に、ハーフカット線内の蓋材全体がハーフカット線から切り裂かれて湯切孔が開き、湯水を容器内に注入することが可能となる。
ハーフカット線の外側の基材は易剥離剤があるため容器から剥がれることはない。
【００１０】
容器や蓋材にアルミニウム等の金属材料を使用していないので、電子レンジ加熱が可能である。
【００１１】
また、蓋材の易剥離領域に、紙層の剥離用つまみの両端近傍から容器の中央部を経て対向する端縁まで略平行な２本のミシン目線が形成してあると、剥離用つまみをつまんで蓋材を容器から引き剥がすと、剥離用つまみの両端から表面シートをミシン目線に沿って容易に引き裂くことができる。
【００１２】
【発明の実施の形態】
以下実施例により本発明を詳細に説明する。
本発明の湯切機能付き即席食品容器用蓋材は、例えば、図１に示すように、カップ本体開口部に、カップ本体２の開口部とほぼ同じ外形を有し、剥離用つまみ３と開封用つまみ４を有する蓋材５を密封シールしてなる構造を有する。
【００１３】
そして、剥離用つまみ３と開封用つまみ４を有する蓋材５は、例えば、図２（ａ）、（ｂ）に示すように、基材シート１１とこれを被覆する表面シート１２が接着層１３を介して積層されてなり、基材シート１１と表面シート１２との層間は、蓋材シートの中央部分を通り帯状に易剥離剤である剥離ニス１４の塗布された易剥離領域Ｌ1 と、易剥離領域に隣接して配置される接着領域Ｌ2 とに区画されている。
易剥離領域Ｌ1 には、内面側となる基材シートから基材シートに隣接する表面シートの略半分の深さにまで達する湯切孔２２形成用のハーフカット線２１が略円形状に設けられている。
さらに前記剥離用つまみ３が易剥離領域の先端に設けられると共に、前記開封用つまみ４が易剥離領域から離れた接着領域の先端に設けられている。
【００１４】
カップ本体２は、電子レンジで加熱すること、少なくと最内層は熱融着性があること等を考慮すると、ＰＥ／カップ原紙／ＰＥ等の紙を主体とする複合シートを用いて一般的な紙カップ成形機で成形することができる。
あるいは、ポリプロピレン等の樹脂を用いて成形されたプラスチックカップ容器であっても構わない。
【００１５】
蓋材５は、本発明の即席食品用容器のポイントであって、剥離用つまみ３をつまんで蓋材を剥がすと、湯切孔２２部分のみ開蓋し、それ以外の部分は開蓋せず、湯切孔２２から湯水を注入あるいは排出することができ、また、開封用つまみ４を持って剥がすことにより、蓋全体が開蓋でき、内容物を喫食することができる構造としたものである。
【００１６】
蓋材５の層構成としては、例えば、内側面から基材シート１１／接着層１３／表面シート１２の複合構成のシートを使用する。
基材シート１１としては、カップ本体２との剥離を容易にするエチレン酢酸ビニル共重合体樹脂フィルムなどのポリオレフィン系樹脂フィルム１１ａと二液反応型のポリエステル樹脂系の接着剤（図示せず）を介してポリエステルフィルム（ＰＥＴフィルム）１１ｂや高密度ポリエチレンフィルム（ＨＤＰＥフィルム）１１ｂをドライラミネーション法により積層した複合フィルムを使用することができる。
【００１７】
表面シート１２としては、ＰＥＴフィルム１２ａと坪量が６０ｇ／ｍ2 以上であるコート紙１２ｂのコート層面とを二液反応型のポリエステル樹脂系の接着剤（図示せず）を介してドライラミネーション法により積層した複合シートを使用することができる。
【００１８】
コート紙のコート層面とは反対の面には、ポリビニルアルコール等の目止め剤（図示せず）を介してレシチンなどの可食性界面活性剤、硝化綿系の接着剤にワックスまたはシリコンなどを混合したものからなる剥離ニスを塗布した剥離ニス層１４（０．２〜２０μｍ厚）を、剥離用つまみ全体を含み、剥離用つまみの両端縁よりやや広い幅で、剥離用つまみの形成されている位置とは対向する蓋材の端縁の位置まで帯状に設け、易剥離領域Ｌ1 を区画形成させる。
なお、それ以外の領域は、接着領域Ｌ2 となる。
【００１９】
なお、紙には剥離用つまみの両端に該当する位置から対向する端縁に該当する位置に向けて平行な２本のミシン目線２３を設けておくと、剥離用つまみ３をつまんで蓋材を剥がす際、ミシン目線が案内の役割を果たし、蓋材がきれいに引き裂かれると共に引き裂き易くなる。ミシン目線は任意の形状で良い。
【００２０】
さらに必要に応じて、紙のコート層面またはＰＥＴフィルムの裏面には印刷層１５を設けることができる。
【００２１】
また、接着層１３は、表面シートの剥離ニス層形成面と基材シートのＰＥＴフィルムやＨＤＰＥフィルム面との接着性に優れた接着剤であれば良く、具体的には、ポリエチレン、すなわち、溶融ポリエチレンによる押し出しラミネーション法により基材シートと表面シートを貼り合わせれば良い。
【００２２】
易剥離領域Ｌ1 には、内面側となる基材シート１１から表面シート１２の中間１分までに達する中央部を囲む湯切孔２２形成用のハーフカット線２１が設けられている。
【００２３】
このハーフカット線２１は、基材シート１１と表面シート１２を接着層１３を介して積層して積層シートとし、この積層シートを蓋材に打抜く際、蓋材の打抜きと同時に、基材シート側から表面シート側に向けて表面シートの中間部分までハーフカット線２１を加工することにより形成できる。
ハーフカット線２１を囲むことにより形成される湯切孔２２の形状は、図示した円形に限らず、楕円形、滴形、方形等各種考えられる。
【００２４】
蓋材５に設ける剥離用つまみ３と開封用つまみ４とは互いに略９０°の角度を隔てて形成すると、剥離用つまみをつまんで蓋材を剥がし湯切孔を設けたり、開封用つまみをつまんで蓋材を剥がして開蓋する際に作業性が向上し、取扱いが容易になる。
【００２５】
本発明の湯切機能付き即席食品容器用蓋材の使用方法につき説明する。
先ず、剥離用つまみ３をつまんで蓋材５をカップ本体２の開口部６から対向する方向に約１／２ほど剥がす。易剥離領域Ｌ1 を剥がすので、基材シート１１はカップ本体から剥離せず、カップ本体に接着しており、表面シート１２のみがカップ本体から剥離する。この際、表面シート１２の紙部分にミシン目線２３が形成されていると、表面シートはミシン目線に沿ってきれいに引き裂かれる。
ところが、ハーフカット線２１に囲まれた部分のみは、ハーフカット線２１により基材シート部分も剥離して、孔が開き、湯切孔２２が開蓋する（図３参照）。
そして湯切孔２２から水をカップ本体２に注入する。
ついで、剥離用つまみ３をカップ本体２の外周端部に折り曲げて再封し、食品を可食状態にするための所定時間、電子レンジ加熱を行い、加熱終了後、電子レンジから取り出し、湯切孔２２から不要となった湯を排出する。
最後に、開封用つまみ４をつまんで蓋材５をカップ本体２の開口部６から対向する方向に剥がし、食品を食するというものである。
【００２６】
剥離用つまみ３と開封用つまみ４が互いに略９０°の角度を隔てて設置さていると、剥離用つまみをつまんで蓋材を剥がし湯切孔２２を設けたり、開封用つまみをつまんで蓋材を剥がして開蓋する際に作業性が向上し、取扱いが容易になる。
【００２７】
【実施例】
以下に本発明の実施例をさらに具体的に説明する。
〈実施例１〉
本発明の湯切機能付き即席食品容器用蓋材は、図２（ａ）、（ｂ）に示すように、先ず、３０μｍ厚のイージーピール性を有するポリオレフィン樹脂系フィルム１１ａと１２μｍ厚のＰＥＴフィルム１１ｂとを２液反応型のポリエステル樹脂系の接着剤を介してドライラミネーション法により積層した基材シート１１を準備した。
【００２８】
ついで、印刷層１５を設けた１２μｍ厚のＰＥＴフィルム１２ａを準備する。
また、坪量８５ｇ／ｍ2 のコート紙１２ｂを準備し、このコート紙の非コート面に、ポリビニルアルコール等の目止め剤（図示せず）を介してレシチンなどの可食性界面活性剤、硝化綿系の接着剤にワックスまたはシリコンなどを混合したものからなる剥離ニスを塗布した剥離ニス層１４（１０μｍ厚）を、剥離用つまみ全体を含み、剥離用つまみの両端縁よりやや広い幅で、剥離用つまみの形成されている位置とは対向する蓋材の端縁の位置まで帯状に設け、易剥離領域Ｌ1 を区画形成させる。
【００２９】
準備した印刷層１５を設けた１２μｍ厚のＰＥＴフィルム１２ａの印刷層面と、ミシン目線２３が穿設され、剥離ニス層１４が形成されたコート紙１２ｂの剥離ニス層面とを対向させ、２液反応型のポリエステル樹脂系接着剤を用いてドライラミネーション法により積層し、表面シート１２とした。
【００３０】
ついで、基材シート１１のＰＥＴフィルム面と表面シート１２の剥離ニス層を形成させた面とを対向させ、熱接着性に優れたポリエチレンを接着層１３（１５μｍ厚）としてエクストルーダを用いてラミネートすることにより基材シート１１／接着層１３／表面シート１２からなる積層シートとした。
【００３１】
続いてこの積層シートを大断ちした後、基材シート側から表面シートの中間程度の深さまで２本の直線状のハーフカット加工を行うと共に、剥離用つまみ３が易剥離領域Ｌ1 の中央部分に位置するように設定し、剥離用つまみ３と開封用つまみ４が略９０°の角度を隔てるように設定して打ち抜き加工を行い、本発明の湯切機能を付き即席食品容器用蓋材を作製した。
【００３２】
【発明の効果】
上記のように本発明によれば、蓋材を容器本体から完全に剥がすことなく湯切孔を開けることができるという新しい機能を有する蓋材が作製できた。
また、アルミニウム箔などの金属箔を使用しないので、電子レンジでの加熱が可能である。
【図面の簡単な説明】
【図１】本発明の湯切機能付き即席食品容器用蓋材をカップ本体に閉蓋させた状態を示す斜視説明図である。
【図２】本発明の湯切機能付き即席食品容器用蓋材の一実施例を示す、（ａ）は平面説明図であり、（ｂ）は（ａ）のＡ−Ａ’線断面説明図である。
【図３】本発明の湯切機能付き即席食品容器用蓋材の剥離つまみをつまんで蓋材を約１／２程度開封した状態を示す拡大側断面説明図である。
【符号の説明】
１‥‥即席食品用容器
２‥‥カップ本体
３‥‥剥離用つまみ
４‥‥開封用つまみ
５‥‥蓋材
６‥‥カップ本体の開口部
１１‥‥基材シート
１１ａ‥イージーピールポリオレフィン系樹脂フィルム
１１ｂ‥ＰＥＴフィルム、ＨＤＰＥフィルム
１２‥‥表面シート
１２ａ‥ＰＥＴフィルム
１２ｂ‥コート紙
１３‥‥接着層
１４‥‥易剥離剤、剥離ニス層
１５‥‥印刷層
２１‥‥ハーフカット線
２２‥‥湯切孔
２３‥‥ミシン目線
Ｌ1 ‥易剥離領域
Ｌ2 ‥接着領域
【図１】
0004736151.tif 000002
【図２】
0004736151.tif 000003
【図３】
0004736151.tif 000004